(57)【要約】      （修正有）【課題】シーン毎に、より適切な撮像パラメータを設定可能にする。【解決手段】撮像パラメータを設定する設定手段と、撮像手段と、現在位置情報を取得する手段と、被写体情報を表示する手段と、被写体情報を選択する指示を受け付ける手段と、前記選択された被写体情報に関連付けられている撮像パラメータが所定の条件を満たすか否かを判断する判断手段とを有し、前記設定手段は、前記所定の条件を満たすと判断された撮像パラメータを、前記撮像装置の撮像パラメータとして設定し、前記選択された被写体情報に関連付けられている撮像パラメータは、他の撮像装置が前記被写体を撮像した際の前記他の撮像装置の位置を示す撮像位置情報を含み、前記判断手段は、前記選択された被写体情報に関連付けられている撮像パラメータが前記所定の条件を満たすか否かを、前記現在位置情報と前記撮像位置情報とに基づき判断する。【選択図】図７
2013222985.tif 000002
【特許請求の範囲】
【請求項１】
撮像装置であって、
撮像パラメータを設定する設定手段と、
前記設定手段により設定された撮像パラメータに基づき被写体を撮像して画像データを取得する撮像手段と、
前記撮像装置の現在位置を示す現在位置情報を取得する位置取得手段と、
前記被写体の位置を示す被写体位置情報に基づき被写体情報を表示部に表示する表示手段と、
前記表示されている被写体情報を選択する指示を受け付ける選択手段と、
前記選択された被写体情報に関連付けられている撮像パラメータが所定の条件を満たすか否かを判断する判断手段とを有し、
前記設定手段は、前記選択された被写体情報に関連付けられている撮像パラメータのうち、前記判断手段により前記所定の条件を満たすと判断された撮像パラメータを、前記撮像装置の撮像パラメータとして設定し、
前記選択された被写体情報に関連付けられている撮像パラメータは、他の撮像装置が前記被写体を撮像した際の前記他の撮像装置の位置を示す撮像位置情報を含み、
前記判断手段は、前記選択された被写体情報に関連付けられている撮像パラメータが前記所定の条件を満たすか否かを、前記現在位置情報と前記撮像位置情報とに基づき判断することを特徴とする撮像装置。
【請求項２】
前記画像データをスルー画像として表示部に表示させる手段を更に有し、
前記表示手段は、前記被写体情報を前記スルー画像に重畳して表示することを特徴とする請求項１に記載の撮像装置。
【請求項３】
前記表示手段は、前記選択された被写体情報に関連付けられている撮像パラメータのうち、前記判断手段により前記所定の条件を満たすと判断された撮像パラメータを選択可能に前記表示部に表示し、
前記設定手段は、前記表示部に選択可能に表示された撮像パラメータのうち、選択された撮像パラメータを、前記撮像装置の撮像パラメータとして設定することを特徴とする請求項１または２に記載の撮像装置。
【請求項４】
前記表示手段は、前記判断手段により前記所定の条件を満たすと判断された撮像パラメータのうち、前記現在位置情報の示す位置と前記撮像位置情報の示す位置との間の距離が最も短い撮像パラメータを優先して前記表示部に表示することを特徴とする請求項３に記載の撮像装置。
【請求項５】
前記表示手段は、前記選択された被写体情報に関連付けられている撮像パラメータを用いて得られた画像データのサムネイルを表示することを特徴とする請求項３または４に記載の撮像装置。
【請求項６】
前記判断手段による判断の結果、前記所定の条件を満たす撮像パラメータがない場合、前記判断手段は前記所定の条件を緩和し、前記撮像パラメータが前記緩和された条件を満たすか否かを再び判断することを特徴とする請求項１乃至５のいずれか１項に記載の撮像装置。
【請求項７】
前記判断手段は、前記現在位置情報の示す位置と前記撮像位置情報の示す位置との間の距離が所定の長さ未満の場合、前記選択された被写体情報に関連付けられている撮像パラメータは条件を満たすと判断し、前記現在位置情報の示す位置と前記撮像位置情報の示す位置との間の距離が所定の長さ以上の場合、前記選択された被写体情報に関連付けられている撮像パラメータは条件を満たさないと判断することを特徴とする請求項１乃至６のいずれか１項に記載の撮像装置。
【請求項８】
前記被写体情報を、外部装置から受信する受信手段を更に有することを特徴とする請求項１乃至７のいずれか１項に記載の撮像装置。
【請求項９】
前記受信手段は、前記被写体情報に関連付けられている撮像パラメータを前記外部装置から受信することを特徴とする請求項８に記載の撮像装置。
【請求項１０】
前記現在位置情報に基づく撮像範囲に関する情報を前記外部装置に送信する手段を更に有し、
前記受信手段は、前記撮像範囲に関する情報に対応する前記被写体情報を受信することを特徴とする請求項８または９に記載の撮像装置。
【請求項１１】
前記被写体に対応する被写体情報に前記撮像装置の撮像パラメータを関連付ける要求を、前記外部装置に送信する送信手段を更に有することを特徴とする請求項８乃至１０のいずれか１項に記載の撮像装置。
【請求項１２】
前記送信手段は、前記被写体を撮像することに応じて、前記被写体に対応する被写体情報に前記撮像装置の撮像パラメータを関連付ける要求を前記外部装置に送信することを特徴とする請求項１１に記載の撮像装置。
【請求項１３】
撮像装置の制御方法であって、
撮像パラメータを設定する設定ステップと、
前記設定ステップで設定された撮像パラメータに基づき被写体を撮像して画像データを取得する撮像ステップと、
前記撮像装置の現在位置を示す現在位置情報を取得する位置取得ステップと、
前記被写体の位置を示す被写体位置情報に基づき被写体情報を表示部に表示する表示ステップと、
前記表示されている被写体情報を選択する指示を受け付ける選択ステップと、
前記選択された被写体情報に関連付けられている撮像パラメータが所定の条件を満たすか否かを判断する判断ステップとを有し、
前記設定ステップでは、前記選択された被写体情報に関連付けられている撮像パラメータのうち、前記判断ステップで前記所定の条件を満たすと判断された撮像パラメータを、前記撮像装置の撮像パラメータとして設定する設定し、
前記選択された被写体情報に関連付けられている撮像パラメータは、他の撮像装置が前記被写体を撮像した際の前記他の撮像装置の位置を示す撮像位置情報を含み、
前記判断ステップでは、前記選択された被写体情報に関連付けられている撮像パラメータが前記所定の条件を満たすか否かが、前記現在位置情報と前記撮像位置情報とに基づき判断されることを特徴とする撮像装置の制御方法。
【請求項１４】
コンピュータを請求項１乃至１２のいずれか１項に記載の撮像装置の各手段として機能させるためのコンピュータが読み取り可能なプログラム。
【発明の詳細な説明】
【技術分野】
【０００１】
本発明は、撮像パラメータを設定することができる撮像装置とその制御方法、プログラムに関するものである。
【背景技術】
【０００２】
近年、デジタルカメラの普及に伴い、様々なユーザがカメラを利用するようになっている。デジタルカメラを扱うユーザの中には、カメラについて初心者のユーザもいる。そのようなユーザにとっては、シーンに応じて適切な撮像パラメータを設定することが難しい場合があった。この問題を解決するために、経験のあるユーザが設定した撮像パラメータを、初心者のユーザが利用する方法が考えられている。例えば、特許文献１では、他のユーザが撮像の際に用いた撮像パラメータが予めサーバに登録してあり、ユーザは、サーバに登録してある撮像パラメータをダウンロードして利用することができる。
【先行技術文献】
【特許文献】
【０００３】
【特許文献１】特開２００５−１８４６１０号公報
【発明の概要】
【発明が解決しようとする課題】
【０００４】
上述の特許文献１に開示された従来技術では、サーバに登録された撮像パラメータが、撮像位置に基づき検索される。そのため、検索結果には、同じ撮像位置から撮像した際に用いられた撮像パラメータであっても、異なる被写体を撮像した際に用いられた撮像パラメータが含まれる可能性がある。一般的に、同じ場所から撮像する場合であっても、撮像する被写体に応じて適切な撮像パラメータの値は異なると考えられる。そのため、不適切な撮像パラメータで撮像してしまう恐れがあった。
【０００５】
そこで、本発明では、より適した撮像パラメータでの撮像を可能とすることを目的とする。
【課題を解決するための手段】
【０００６】
上記目的を達成するために、本発明の撮像装置は、撮像装置であって、撮像パラメータを設定する設定手段と、前記設定手段により設定された撮像パラメータに基づき被写体を撮像して画像データを取得する撮像手段と、前記撮像装置の現在位置を示す現在位置情報を取得する位置取得手段と、前記被写体の位置を示す被写体位置情報に基づき被写体情報を表示部に表示する表示手段と、前記表示されている被写体情報を選択する指示を受け付ける選択手段と、前記選択された被写体情報に関連付けられている撮像パラメータが所定の条件を満たすか否かを判断する判断手段とを有し、前記設定手段は、前記選択された被写体情報に関連付けられている撮像パラメータのうち、前記判断手段により前記所定の条件を満たすと判断された撮像パラメータを、前記撮像装置の撮像パラメータとして設定し、前記選択された被写体情報に関連付けられている撮像パラメータは、他の撮像装置が前記被写体を撮像した際の前記他の撮像装置の位置を示す撮像位置情報を含み、前記判断手段は、前記選択された被写体情報に関連付けられている撮像パラメータが前記所定の条件を満たすか否かを、前記現在位置情報と前記撮像位置情報とに基づき判断することを特徴とする。
【発明の効果】
【０００７】
本発明によれば、ユーザは、より適した撮像パラメータで撮像することができる。
【図面の簡単な説明】
【０００８】
【図１】第一の実施形態における撮像装置のブロック図である。
【図２】第一の実施形態における情報処理装置のブロック図である。
【図３】第一の実施形態における被写体情報の表示例を示す図である。
【図４】第一の実施形態における被写体情報の概念図である。
【図５】第一の実施例における被写体情報を表示する際の撮像装置の動作を示すフローチャートである。
【図６】第一の実施形態における被写体情報に対する操作を受け付ける際の表示例を示す図である。
【図７】第一の実施例における被写体情報に対する操作を受け付ける際の撮像装置の動作を示すフローチャートである。
【図８】第一の実施形態における被写体情報に対する操作を受け付ける際の表示例を示す図である。
【図９】第一の実施形態における被写体情報に対する操作を受け付ける際の表示例を示す図である。
【図１０】第一の実施形態における被写体情報に対する操作を受け付ける際の表示例を示す図である。
【図１１】第一の実施形態における被写体情報に対する操作を受け付ける際の表示例を示す図である。
【図１２】第一の実施形態における撮像処理の際の撮像装置の動作を示すフローチャートである。
【図１３】第一の実施形態における情報処理装置の動作を示すフローチャートである。
【図１４】第一の実施形態における被写体情報に対する操作を受け付ける際の表示例を示す図である。
【発明を実施するための形態】
【０００９】
以下に、本発明を実施するための形態について、添付の図面を用いて詳細に説明する。
【００１０】
尚、以下に説明する実施の形態は、本発明の実現手段としての一例であり、本発明が適用される装置の構成や各種条件によって適宜修正又は変更されてもよい。また、各実施の形態は適宜組み合わされることも可能である。
【００１１】
［第１の実施形態］
図１は、本実施形態の撮像装置の一例であるデジタルカメラ１００のブロック図である。
【００１２】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。本実施形態におけるデジタルカメラ１００は、撮影モード、再生モードを有している。撮影モードは、後述の撮像部１０２を制御部１０１が制御することにより画像データを取得することができるモードである。再生モードは、後述の表示部１０６を用いて画像データを再生することができるモードである。
【００１３】
撮像部１０２は、撮像パラメータに基づき撮像処理を行う。撮像処理では、撮像部１０２は、撮像部１０２に含まれるレンズで結像された被写体光を電気信号に変換し、ノイズ低減処理などを行って得られるデジタルデータを、画像データとして出力する。ここで、撮像部１０２が撮像する際に用いられる撮像パラメータは、第１の撮像パラメータの一例である。
【００１４】
不揮発性メモリ１０３は、電気的に消去・記録可能な不揮発性のメモリであり、制御部１０１で実行される後述のプログラム等が格納される。
【００１５】
作業用メモリ１０４は、撮像部１０２で撮像された画像データを一時的に保持するバッファメモリや、表示部１０６の画像表示用メモリ、制御部１０１の作業領域として使用される。
【００１６】
操作部１０５は、ユーザ操作を受け付ける。デジタルカメラ１００は操作部１０５が受け付けた操作に応じた指示を受け付ける。操作部１０５は例えば、ユーザがデジタルカメラ１００の電源のＯＮ／ＯＦＦを指示するための電源ボタンや、撮像を指示するためのレリーズスイッチ、画像データの再生を指示するための再生ボタンなどの操作部材を含むよう構成される。また、後述する表示部１０６に形成されるタッチパネルも操作部１０５に含まれる。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮像の準備動作を行うための準備指示を受け付ける。また、レリーズスイッチが、いわゆる全押し状態となることにより、ＳＷ２がＯＮとなる。これにより、撮像動作を行うための撮像指示を受け付ける。
【００１７】
表示部１０６は、撮像の際のスルー画像の表示、撮像した画像データの表示などを行う。なお、表示部１０６はデジタルカメラ１００が備える必要はなく、デジタルカメラ１００は表示部１０６と接続することができ、表示部１０６の表示を制御する表示制御機能を少なくとも有していればよい。
【００１８】
方位取得部１０７は、デジタルカメラ１００がどの方角を向いているかを検出し、方位情報を取得する。方位取得部１０７は例えば電子コンパスで構成される。電子コンパスとは、地磁気センサ、方位センサなどとも呼ばれ、地球の地磁気を検出することができるデバイスの総称である。電子コンパスは、地磁気を２次元、または、３次元で検出し、地磁気に対して、電子コンパスのデバイス自体がどの方角を向いているかを検出することができる。この方位情報は、定期的に取得され、作業用メモリ１０４に記録される。既に作業用メモリ１０４に方位情報が記録されている場合は、新たに取得した方位情報で上書きする。このような処理により、作業用メモリ１０４には、常に最新の方位情報が保持されることとなる。なお、方位取得部１０７は、ジャイロセンサ等の動き検出センサ、または電子コンパスと動き検出センサとの組み合わせで構成されてもよい。
【００１９】
位置取得部１０８は、測位処理を行う。測位処理とは、ＧＰＳ衛星から信号を受信し、受信した信号からデジタルカメラ１００の位置を示す位置情報を取得する処理である。本実施形態では、位置情報は、緯度・経度の座標で表される。この位置情報は、定期的に取得され、作業用メモリ１０４に記録される。既に作業用メモリ１０４に位置情報が記録されている場合は、新たに取得した位置情報で上書きする。このような処理により、作業用メモリ１０４には、常に最新の位置情報が保持されることとなる。なお、位置取得部１０８は、例えば携帯電話の基地局といった外部装置などから位置情報を取得する装置や、加速度センサとＧＰＳとの組み合わせで構成されてもよい。この位置取得部１０８にて取得された位置情報は、デジタルカメラ１００の現在位置を示す現在位置情報として用いたり、撮像部１０２により取得された画像に撮像位置を示す撮像位置情報として付加したりすることができる。
【００２０】
通信部１０９は、外部装置と通信するためのインターフェースである。デジタルカメラ１００は、通信部１０９を介して、外部装置とデータの送受信を行うことができる。なお、本実施形態では、通信部１０９はアンテナであり、制御部１０１はアンテナを介して、後述する図２のサーバ２００とデータの送受信を行うことができる。
【００２１】
記録媒体１１０は、撮像部１０２から出力された画像データや、通信部１０９を介して取得した被写体情報を記録することができる。記録媒体１１０は、デジタルカメラ１００に着脱可能なよう構成してもよいし、デジタルカメラ１００に内蔵されていてもよい。すなわち、デジタルカメラ１００は少なくとも記録媒体１１０にアクセスする手段を有していればよい。
【００２２】
以上がデジタルカメラ１００の説明である。
【００２３】
次に、デジタルカメラ１００と通信することができる外部装置である情報処理装置について説明する。図２は、本実施形態の情報処理装置の一例であるサーバ２００のブロック図である。
【００２４】
制御部２０１は、入力された信号や、後述のプログラムに従ってサーバ２００の各部を制御する。なお、制御部２０１が装置全体を制御する代わりに、複数のハードウェアが処理を分担することで、装置全体を制御してもよい。
【００２５】
不揮発性メモリ２０３は、電気的に消去・記録可能な不揮発性のメモリであり、制御部２０１で実行される後述のプログラム等が格納される。
【００２６】
作業用メモリ２０４は、制御部２０１の作業領域として使用される。
【００２７】
通信部２０９は、外部装置と通信する際に用いられる。サーバ２００は、通信部２０９を介することで、デジタルカメラ１００とデータのやりとりを行うことができる。
【００２８】
記憶部２１０は、被写体に関する情報である被写体情報のデータベースを保持する。被写体情報については後述する。
【００２９】
以上が、デジタルカメラ１００と通信することができるサーバ２００の説明である。
【００３０】
次に、被写体情報について説明する。前述のように、被写体情報はサーバ２００のデータベースに保持される情報である。このデータベースに保持されている被写体情報は、サーバ２００に予め記録されているものであり、サーバ２００により管理される。被写体情報には、ＩＤと被写体の位置を示す被写体位置情報が記録されている。サーバ２００はこのＩＤを用いて被写体情報を管理する。また、デジタルカメラ１００は必要に応じて、撮像範囲に含まれる被写体の被写体情報をサーバ２００から取得して、スルー画像に重畳して表示することができる。図３はデジタルカメラ１００の表示部１０６に表示されるスルー画像の一例である。この例では、富士山や樹海といった被写体に対応するそれぞれの被写体情報のアイコンが、各被写体の位置に応じた領域にそれぞれ重畳して表示されている。
【００３１】
図４は、被写体情報の構造を示す概念図である。図４において、被写体情報１は、図３における「富士山」の被写体情報のデータの一例である。被写体情報１は、対応する被写体の名称「富士山」と、対応する被写体の位置を示す被写体位置情報が記録されている。本実施形態では、この被写体位置情報は、緯度・経度の形で記録される。図３の画面の例は、この被写体位置情報に基づき、被写体の位置に合わせてアイコンが表示される。
【００３２】
また、デジタルカメラ１００のユーザは、この被写体情報に追記情報を関連付けることができる。この追記情報は、図４に示すようなデータのツリーを構成する。関連付けられる追記情報には、対応する被写体に対するユーザのコメントや、対応する被写体を撮像した際の撮像パラメータ等が含まれる。被写体情報に関連付けられた撮像パラメータは第２の撮像パラメータの一例である。追記情報の先頭には、コメントと撮像パラメータとを区別できるよう、「追記情報３  コメント」、「追記情報１  撮像パラメータ」のように属性が記述される。撮像パラメータの追記情報には、関連付けられている被写体情報に対応する被写体を撮像した際のデジタルカメラ１００の設定（シャッター速度やホワイトバランス等）や、種類、装着されるレンズの種類等の情報が含まれる。さらに、撮像パラメータには、撮像した際のデジタルカメラ１００の位置を示す撮像位置情報も含まれる。また、デジタルカメラ１００と同様の構成を有する他のデジタルカメラからも、同様に追記情報が関連付けられる。これにより、複数のデジタルカメラからの情報が、サーバ２００のデータベースの被写体情報に関連付けられることになる。
【００３３】
これらの被写体情報や追記情報は、デジタルカメラ１００や、他のデジタルカメラから利用可能である。利用方法については後述する。
【００３４】
以上が、被写体情報の概要である。
【００３５】
次に、デジタルカメラ１００が、被写体情報をサーバ２００から受信して、スルー画像上に表示する手順について説明する。図５は、被写体情報のアイコンがスルー画像上に重畳して表示される際の、デジタルカメラ１００の動作を示すフローチャートである。このフローチャートに示される各処理は、デジタルカメラ１００の制御部１０１が、不揮発性メモリ１０３に記録されているプログラムを実行し、プログラムに従いデジタルカメラ１００の各部を制御することにより実現される。以降のデジタルカメラ１００の動作を示すフローチャートについても同様である。また、このフローチャートに示される処理は、デジタルカメラ１００が撮影モードとなることに応じて開始され、後述の図１２のフローチャートに示す撮像処理と並行して実行される。なお、本実施形態では、被写体情報の取得やアイコンの表示を、図５のフローチャートに示す処理により実現する例について述べるが、既知の他の方法を用いて実現しても構わない。
【００３６】
まず、ステップＳ５０１にて、制御部１０１は、サーバ２００にデジタルカメラ１００の撮像範囲を示す情報を送信する。ここで、撮像範囲を示す情報とは、例えばデジタルカメラ１００が、位置取得部１０８から取得した位置情報と方位取得部１０７から取得した方位情報、そして撮像部１０２から取得した画角情報等である。あるいは、撮影範囲を示す情報として、位置情報・方位情報・画角情報等から算出した、緯度・経度の値を用いてもよい。
【００３７】
次に、ステップＳ５０２にて、制御部１０１は、撮像範囲に応じた被写体情報をサーバ２００から受信する。なお、追記情報は、被写体情報のアイコンを表示するために必ずしも必要な情報ではない。そのため、このステップの処理では、まだ追記情報を取得しない。これにより、通信負荷の増加を防ぐ。追記情報の取得に関しては、後述する。
【００３８】
その後、ステップＳ５０３にて、制御部１０１は、ステップＳ５０２にて受信された被写体情報のアイコンを、被写体位置情報に基づき、対応する被写体の表示位置に応じた領域に表示する。例えば、図３のように、被写体情報のアイコンが、スルー画像上の被写体の位置に応じた領域に重畳して表示される。なお、被写体情報の表示位置は、デジタルカメラ１００から被写体情報への方向ベクトルを利用することで算出可能である。デジタルカメラ１００の現在のレンズ方向をＺ軸、デジタルカメラ１００の上部方向をＹ軸方向、デジタルカメラ１００の右部方向をＸ軸方向と定義する。被写体情報の表示位置は、デジタルカメラ１００から被写体情報への方向ベクトルのＸＹ平面正射影により、得られる。なお、位置情報には、高さの情報が含まれていても良い。高さの情報が含まれている位置情報を参照して表示位置を算出する場合は、高さの示す値に応じてスルー画像の上下方向における表示位置が変化する。この処理により、被写体情報はスルー画像上の被写体の位置の近傍に表示されることになる。
【００３９】
次に、ステップＳ５０４では、制御部１０１は、操作部１０５を介して、被写体情報のアイコンを選択する指示を受け付ける。制御部１０１が、被写体情報のアイコンが選択されたと判断した場合、処理はステップＳ５０５に進み、選択された被写体情報を利用するためのメニューを表示する処理を実行する。メニュー表示の処理については後述する。制御部１０１が、被写体情報のアイコンが選択されていないと判断した場合、処理はステップＳ５０６に進む。
【００４０】
ステップＳ５０６では、制御部１０１は撮影モードから他のモードに移行する指示を受け付けたか否かを判断する。制御部１０１が、他のモードに移行する指示を受け付けたと判断した場合、本フローチャートの処理は終了する。制御部１０１が、他のモードに移行する指示を受け付けていないと判断した場合、処理はステップＳ５０１に戻り、本フローチャートの処理を繰り返す。これにより、スルー画像に重畳して表示する被写体情報を繰り返し更新する。
【００４１】
以上が、被写体情報をスルー画像上に表示する際のデジタルカメラ１００の動作である。
【００４２】
次に、スルー画像上に表示されている被写体情報の利用方法について述べる。
【００４３】
図３の例では、富士山がスルー画像上に表示されており、その富士山に対応する被写体情報が、富士山が映っている位置に応じた領域に表示されている。図５のステップＳ５０４、ステップＳ５０５に示すように、この被写体情報を操作部１０５を介して選択することにより、被写体情報を利用するためのメニューを表示することができる。本実施形態では、操作部１０５は表示部１０６上に形成されるタッチパネルであり、制御部１０１は、表示部１０６に表示されている被写体情報の表示領域に相当するタッチパネル上の領域がタッチされることを検知することにより、被写体情報の選択を受け付ける。被写体情報のアイコンが選択されると、図５のステップＳ５０５のメニュー表示の処理に遷移する。このメニュー表示について図６を用いて説明する。図６は被写体情報が選択された際の画面の表示例である。図６では、選択された被写体情報に対して行う処理の選択を受け付けるメニューが表示されている。このメニューに表示されている、登録ボタン、設定ボタン、閲覧ボタン、追記ボタン、キャンセルボタンは、ユーザが操作部１０５を介して選択可能である。
【００４４】
登録ボタンが選択されると、現在のデジタルカメラ１００の撮像パラメータは、選択されている被写体情報に、追記情報として関連付けられる。
【００４５】
また、設定ボタンが選択されると、選択されている被写体情報に記録されている追記情報のうち、現在のデジタルカメラ１００の位置に近い撮像位置情報を含む撮像パラメータの追記情報が表示される。このようにすることで、デジタルカメラ１００のユーザは自身と同じような位置から特定の被写体を撮影したときの撮影パラメータを確認することができる。表示された撮像パラメータの追記情報が選択されると、選択された追記情報に記録されている撮像パラメータの値がデジタルカメラ１００の撮像パラメータの値として設定される。
【００４６】
また、上述したように、被写体情報は、複数のカメラから利用することができる。例えば、あるカメラのユーザＡが富士山の被写体情報の追記情報として撮像パラメータを登録すれば、他のカメラのユーザＢは、富士山の被写体情報のメニューで設定ボタンを選択することで、ユーザＡが登録した撮像パラメータを利用することができる。
【００４７】
図６のメニューのうち、閲覧ボタンが選択されると、選択されている被写体情報の追記情報の中から、コメントの追記情報が表示される。
【００４８】
また、追記ボタンを選択すれば、ユーザは操作部１０５を介してコメント記入することができる。このコメントは、サーバ２００に送信され、選択された被写体情報の新たな追記情報として関連付けられる。また、このコメントは、他のユーザが被写体情報を選択して、閲覧ボタンを選択することにより閲覧することができる。
【００４９】
次に、上述のメニューの表示と、それぞれのボタンを選択した場合のデジタルカメラ１００の動作について述べる。
【００５０】
図７は、図５のステップＳ５０５で実行される処理を示すフローチャートである。
【００５１】
まず、ステップＳ７０１にて、制御部１０１は、図６のように処理の指示を受け付けるためのメニューを、選択された被写体情報の表示位置に表示し、メニューに表示される各ボタンの選択を受け付ける。ユーザは、操作部１０５を介して各ボタンを選択することができる。
【００５２】
次に、ステップＳ７０２およびステップＳ７０３にて、制御部１０１は、図６に示すメニューの中から、どのボタンが選択されたかを判断する。これにより、制御部１０１は、「登録」「設定」「閲覧」「追記」「キャンセル」の指示のうち、どの指示が受け付けられたかを判断する。ここではステップＳ７０２とステップＳ７０３とに分けているが、これらの判断はまとめて行っても良いし、更に分けて行っても良い。
【００５３】
ステップＳ７０２にて、制御部１０１が、キャンセルの指示を受け付けたと判断した場合、処理は終了し、図５の処理に戻る。
【００５４】
ステップＳ７０２にて、制御部１０１が、登録の指示を受け付けたと判断した場合、処理はステップＳ７０４に進む。
【００５５】
ステップＳ７０４では、制御部１０１は、現在のデジタルカメラ１００の撮像パラメータを、撮像パラメータの登録要求と共に、サーバ２００に送信する。登録要求には、現在選択されている被写体情報のＩＤと、撮像パラメータを追記情報として被写体情報に対応づける指示とが含まれる。これを受けて、サーバ２００のデータベースでは、選択された被写体情報に撮像パラメータの追記情報が新たに対応づけられることになる。サーバ２００の処理については、後述する。
【００５６】
ステップＳ７０４の処理が終わると、本フローチャートの処理を終了し、図５の処理に戻る。
【００５７】
次に、ステップＳ７０２で制御部１０１がキャンセルの指示も登録の指示も受け付けていないと判断した場合、処理はステップＳ７０３に進む。
【００５８】
ステップＳ７０３では、制御部１０１は、ステップＳ７０２と同様に、どの指示が受け付けられたかを判断する。
【００５９】
まず、制御部１０１が設定の指示を受け付けたと判断した場合について述べる。この場合、処理はステップＳ７０５に進む。
【００６０】
ステップＳ７０５では、制御部１０１は、選択されている被写体情報に対応づけられている追記情報のうち、撮像パラメータの追記情報の要求をサーバ２００に送信する。撮像パラメータの追記情報の要求には、現在選択されている被写体情報のＩＤと、被写体情報に関連付けられている撮像パラメータの追記情報を取得する指示とが含まれる。これを受けて、選択されている被写体情報に関連付けられている撮像パラメータの追記情報がサーバ２００のデータベースから読み出され、デジタルカメラ１００に返信されることになる。サーバ２００の処理については、後述する。
【００６１】
次に、ステップＳ７０６では、制御部１０１は、サーバ２００から、応答として送信された撮像パラメータの追記情報を受信する。
【００６２】
続くステップＳ７０７では、制御部１０１は、受信した撮像パラメータの追記情報のうち、適切な撮像パラメータの追記情報の一覧を表示し、ユーザからの指示を受け付ける。図８は、本ステップの処理で表示される画面の一例である。本ステップで追記情報の一覧を表示する際に、制御部１０１は、表示する追記情報を、適切な撮像パラメータの追記情報のみとなるよう、所定の条件でフィルタリングする。具体的には、制御部１０１は、撮像パラメータに含まれる撮像位置情報の示す位置とデジタルカメラ１００の現在位置とを比較して、それぞれの位置の間の距離を求める。そして、求められた距離が一定の距離未満である撮像パラメータを一覧に表示する対象とする。すなわち、現在位置から一定距離未満の範囲に撮像位置を含む撮像パラメータを一覧に表示する対象とする。なお、本実施形態では、これらの追記情報が被写体情報に関連付けられた順に表示される。また、一覧が表示される画面には、設定メニューの選択を解除する指示を受け付けるためのキャンセルボタンも表示される。ユーザは、ここで表示される撮像パラメータの追記情報やキャンセルボタンを、操作部１０５を介して選択することで、選択した情報やボタンに応じた指示を入力することができる。
【００６３】
ステップＳ７０８では、制御部１０１は、ステップＳ７０７で受け付けた指示を判断する。制御部１０１が、キャンセルボタンが選択されたと判断した場合、処理はステップＳ７０１に戻る。制御部１０１が、いずれかの追記情報が選択されたと判断した場合、処理はステップＳ７０９に進む。
【００６４】
ステップＳ７０９では、制御部１０１は、図９のように、選択された撮像パラメータの詳細な情報を表示する。また、詳細な情報が表示されている撮像パラメータを自機の撮像パラメータとして設定する指示を受け付けるための設定ボタンと、一覧表示に戻る指示を受け付けるためのキャンセルボタンが表示される。ユーザは、これらのボタンを、操作部１０５を介して選択することで、ボタンに応じた指示を入力することができる。
【００６５】
次いで、ステップＳ７１０にて、制御部１０１は、図９のように表示された設定ボタンが選択されたか、キャンセルボタンが選択されたかを判断する。制御部１０１が、図９のキャンセルボタンが選択されたと判断した場合、処理はステップＳ７０７に戻る。この場合、図９に示す詳細な情報の表示が消えて、図８のように、撮像パラメータの追記情報の一覧が再び最前面に表示される。
【００６６】
一方、制御部１０１が、図９の設定ボタンが選択されたと判断した場合、選択されている撮像パラメータを自機の撮像パラメータとして設定する指示を受け付けたと判断する。この場合、処理はステップＳ７１１に進む。
【００６７】
ステップＳ７１１では、制御部１０１は、選択された撮像パラメータを、自機の撮像パラメータとして設定する。その後、本フローチャートの処理は終了し、図５の処理に戻る。
【００６８】
以上が、制御部１０１が設定の指示を受け付けたと判断した場合の処理である。
【００６９】
次に、ステップＳ７０３にて、制御部１０１が閲覧の指示を受け付けたと判断した場合について述べる。この場合、処理はステップＳ７１２に進む。
【００７０】
ステップＳ７１２では、制御部１０１は、選択されている被写体情報に対応づけられている追記情報のうち、コメントの追記情報の要求をサーバ２００に送信する。コメントの追記情報の要求には、現在選択されている被写体情報を示す情報と、被写体情報に関連付けられているコメントの追記情報を取得する指示が含まれる。これを受けて、選択されている被写体情報に関連付けられているコメントの追記情報がサーバ２００のデータベースから読み出され、デジタルカメラ１００に送信されることになる。サーバ２００の処理については、後述する。
【００７１】
次に、ステップＳ７１３では、制御部１０１は、サーバ２００から、応答として送信されたコメントの追記情報を受信する。
【００７２】
続くステップＳ７１４では、制御部１０１は、受信したコメントの追記情報の一覧を表示し、ユーザからの指示を受け付ける。図１０は、このステップの処理で表示される画面の一例である。図１０の例で表示されるコメントの追記情報の一覧では、各コメントの内容の一部が確認できるように、最初の数文字分の情報を表示している。また、閲覧メニューの選択を解除するためのボタンも表示される。ユーザは、これらの追記情報やボタンを、操作部１０５を介して選択することで、追記情報やボタンに応じた指示を入力することができる。
【００７３】
ステップＳ７１５では、制御部１０１は、いずれかの追記情報が選択されたか、あるいはキャンセルボタンが選択されたかを判断する。制御部１０１が、キャンセルボタンが選択されたと判断した場合、処理はステップＳ７０１に戻る。制御部１０１が、いずれかの追記情報が選択されたと判断した場合、処理はステップＳ７１６に進む。
【００７４】
ステップＳ７１６では、制御部１０１は、図１１のように、選択されたコメントの詳細な情報を表示し、ユーザの指示を受け付ける。また、コメントの追記情報の一覧に戻る指示を受け付けるためのキャンセルボタンも表示される。ユーザは、キャンセルボタンを、操作部１０５を介して選択することができる。
【００７５】
次いで、ステップＳ７１７にて、制御部１０１は、キャンセルボタンが選択されたかを判断する。制御部１０１が、図１１のキャンセルボタンが選択されたと判断した場合、処理はステップＳ７１４に戻る。この場合、図１１の詳細なコメントの情報が消えて、図１０のように、コメントの一覧表示に戻る。一方、制御部１０１が、キャンセルボタンが選択されていないと判断した場合、コメントの詳細な表示と指示の受け付けを継続する。
【００７６】
以上が、制御部１０１が閲覧の指示を受け付けたと判断した場合の処理である。
【００７７】
次に、ステップＳ７０３にて、制御部１０１が追記の指示を受け付けたと判断した場合について述べる。この場合、処理はステップＳ７１８に進む。
【００７８】
ステップＳ７１８では、制御部１０１は、操作部１０５を介してコメントの入力を受け付ける。例えば、操作部１０５はタッチパネルであり、ユーザは、選択されている被写体情報が示す被写体に対するコメントを、ソフトウェアキーボードを用いて入力する。
【００７９】
次に、ステップＳ７１８では、制御部１０１は、入力されたコメントをサーバ２００に登録する指示やキャンセルの指示を受け付ける。制御部１０１が、キャンセルの指示を受け付けたと判断した場合、処理はステップＳ７０１に戻る。一方、制御部１０１が、入力されたコメントをサーバ２００に登録する指示を受け付けたと判断した場合、処理はステップＳ７１９に進む。
【００８０】
ステップＳ７１９では、制御部１０１は、入力されているコメントを、追記情報への登録要求と共にサーバ２００に送信する。登録要求には、現在選択されている被写体情報のＩＤと、入力されているコメントを追記情報として被写体情報に関連づける指示とを含む。これにより、デジタルカメラ１００で入力されたコメントが被写体情報の追記情報として、サーバ２００のデータベースに登録されることになる。サーバ２００の処理については後述する。その後、処理は図５に戻る。
【００８１】
以上が、制御部１０１が追記の指示を受け付けたと判断した場合の処理である。
【００８２】
以上、制御部１０１が、図５のステップＳ５０５で実行される処理について説明した。
【００８３】
次に、デジタルカメラ１００の撮像処理について述べる。図１２は撮像処理が実行される際のデジタルカメラ１００の動作を示すフローチャートである。このフローチャートに示される処理は、ユーザのメニュー操作などに応じてデジタルカメラ１００が撮影モードに遷移することにより開始される。
【００８４】
まず、ステップＳ１２０１では、制御部１０１は、ＳＷ１がＯＮとなったか否かを判断する。ＳＷ１がＯＮとなっていないと判断された場合は、本ステップの処理を繰り返す。一方、ＳＷ１がＯＮとなったと判断された場合、処理はステップＳ１２０２に進む。
【００８５】
ステップＳ１２０２では、制御部１０１は、撮像部１０２により撮像準備動作を行うよう制御する。
【００８６】
次に、ステップＳ１２０３では、制御部１０１は、ＳＷ２がＯＮとなったか否かを判断する。ＳＷ２がＯＮとなっていないと判断された場合、処理はステップＳ１２０１に戻る。一方、ＳＷ２がＯＮとなったと判断された場合、処理はステップＳ１２０４に進む。
【００８７】
ステップＳ１２０４では、制御部１０１は、撮像部１０２により、撮像動作を行い、画像データを取得する。
【００８８】
続くステップＳ１２０５では、制御部１０１は、ステップＳ１２０４で取得した画像データを、記録媒体１１０に記録する。
【００８９】
ステップＳ１２０６では、制御部１０１は、他のモードに遷移する指示を受け付けたか否かを判断する。例えば、操作部１０５に含まれる再生ボタンの押下が検知された場合、再生モードに遷移する指示を受け付けたと判断する。他のモードに遷移する指示を受け付けていないと判断した場合、処理はステップＳ１２０１に戻る。一方、他のモードに遷移する指示を受け付けたと判断した場合、処理を終了する。
【００９０】
以上が、撮像処理の説明である。なお、このフローチャートに示される処理のうち、ステップＳ１２０１〜ステップＳ１２０３の処理は、図５に示すフローチャートの処理と並行して実行される。
【００９１】
以上、デジタルカメラ１００の動作について説明した。
【００９２】
次に、本実施形態のサーバ２００の動作について説明する。図１３は、デジタルカメラ１００からの要求に応じるサーバ２００の動作を示すフローチャートである。このフローチャートに示される処理は、サーバ２００の電源がＯＮとなることにより開始される。
【００９３】
まず、ステップＳ１３０１にて、制御部２０１は、デジタルカメラ１００からの情報を受信したか否かを判断する。制御部２０１が、デジタルカメラ１００からの情報を受信していないと判断した場合、ステップＳ１２０１の処理を繰り返す。一方、制御部２０１が、デジタルカメラ１００からの情報を受信したと判断した場合、処理はステップＳ１３０２に進む。
【００９４】
ステップＳ１３０２では、制御部２０１は、デジタルカメラ１００から受信した情報が撮像範囲を示す情報であるか否かを判断する。制御部２０１が、デジタルカメラ１００から受信した情報が、撮像範囲であると判断した場合、処理はステップＳ１３０３に進む。
【００９５】
ステップＳ１３０３では、制御部２０１は、位置情報の示す位置が撮像範囲に含まれる被写体情報を、データベースから読み出してデジタルカメラ１００に送信する。言い換えれば、制御部２０１は、撮像範囲内の被写体の被写体情報をデジタルカメラ１００に送信する。これにより、デジタルカメラ１００は、スルー画像上に映る被写体に関する被写体情報を利用することができる。本ステップの処理が終わると、処理はステップＳ１３０１に戻る。
【００９６】
一方、ステップＳ１３０２にて、制御部２０１が、デジタルカメラ１００から受信した情報が、撮像範囲でないと判断した場合、処理はステップＳ１３０４に進む。
【００９７】
ステップＳ１３０４では、制御部２０１は、デジタルカメラ１００から受信した情報が、登録要求であるか否かを判断する。制御部２０１が、デジタルカメラ１００から受信した情報が、登録要求であると判断した場合、処理はステップＳ１３０５に進む。
【００９８】
ステップＳ１３０５では、制御部２０１は、登録要求に含まれる被写体情報のＩＤに基づきデータベースを参照して、現在選択されている被写体情報を特定し、この被写体情報に、登録要求と共に受信した撮像パラメータを追記情報として関連付ける。その後、処理はステップＳ１３０１に戻る。
【００９９】
一方、ステップＳ１３０４にて制御部２０１が、デジタルカメラ１００から受信した情報が登録要求でないと判断した場合、処理はステップＳ１３０６に進む。
【０１００】
ステップＳ１３０６では、制御部２０１は、デジタルカメラ１００から受信した情報が、設定要求であるか否かを判断する。制御部２０１が、デジタルカメラ１００から受信した情報が、設定要求であると判断した場合、処理はステップＳ１３０７に進む。
【０１０１】
ステップＳ１３０７では、制御部２０１は、設定要求に含まれる被写体情報のＩＤに基づきデータベースを参照して、現在選択されている被写体情報を特定し、この被写体情報に関連付けられている追記情報のうち、撮像パラメータの追記情報を読み出す。そして、この撮像パラメータの追記情報をデジタルカメラ１００に送信する。その後、処理はステップＳ１３０１に戻る。
【０１０２】
一方、ステップＳ１３０６にて制御部２０１が、デジタルカメラ１００から受信した情報が設定要求でないと判断した場合、処理はステップＳ１２０８に進む。
【０１０３】
ステップＳ１３０８では、制御部２０１は、デジタルカメラ１００から受信した情報が、閲覧要求であるか否かを判断する。制御部２０１が、デジタルカメラ１００から受信した情報が、閲覧要求であると判断した場合、処理はステップＳ１３０９に進む。
【０１０４】
ステップＳ１３０９では、制御部２０１は、閲覧要求に含まれる被写体情報のＩＤに基づきデータベースを参照して、現在選択されている被写体情報を特定し、この被写体情報に関連付けられている追記情報のうち、コメントの追記情報をデータベースから読み出す。そして、このコメントの追記情報をデジタルカメラ１００に送信する。その後、処理はステップＳ１３０１に戻る。
【０１０５】
一方、ステップＳ１３０８にて制御部２０１が、デジタルカメラ１００から受信した情報が閲覧要求でないと判断した場合、処理はステップＳ１３１０に進む。
【０１０６】
ステップＳ１３１０では、制御部２０１は、デジタルカメラ１００から受信した情報が、追記要求であるか否かを判断する。制御部２０１が、デジタルカメラ１００から受信した情報が、追記要求であると判断した場合、処理はステップＳ１３１１に進む。
【０１０７】
ステップＳ１３１１では、制御部２０１は、追記要求に含まれる被写体情報のＩＤに基づきデータベースを参照して、現在選択されている被写体情報を特定し、この被写体情報に、追記要求と共に受信したコメントを追記情報として関連付ける。その後、処理はステップＳ１３０１に戻る。
【０１０８】
一方、ステップＳ１３１０にて制御部２０１が、デジタルカメラ１００から受信した情報が追記要求でないと判断した場合、処理はステップＳ１３１２に進む。
【０１０９】
ステップＳ１３１２では、制御部２０１は、電源ＯＦＦの指示を受け付けたか否かを判断する。制御部２０１が、電源ＯＦＦの指示を受け付けたと判断した場合、本フローチャートの処理を終了する。制御部２０１が、電源ＯＦＦの指示を受け付けていないと判断した場合、処理はステップＳ１３０１に戻る。
【０１１０】
以上が、サーバ２００の動作の説明である。
【０１１１】
以上、本実施形態のシステムについて説明した。本実施形態のシステムでは、被写体の位置に表示される被写体情報を利用して、撮像パラメータを設定可能なよう構成した。さらに、被写体情報に関連付けられた撮像パラメータを利用する際に、デジタルカメラ１００の現在位置に基づきフィルタリングするよう構成した。これにより、ユーザが撮像パラメータを設定する際に表示する選択肢から、被写体と撮像位置の関係がまったく異なるシーンで用いられた撮像パラメータを除くことができる。したがって、ユーザの現在位置での撮像により適した撮像パラメータを選択することができる。
【０１１２】
［その他の実施形態］
上述の実施形態では、設定要求をサーバ２００に送信することによりデジタルカメラ１００は、選択されている被写体情報の撮像パラメータの追記情報すべてを受信する場合について述べた。これについては、図７のステップＳ７０７でフィルタリングされた後の、撮像パラメータの追記情報を受信してもよい。この場合、デジタルカメラ１００は設定要求と共に位置情報も送信し、図７のステップＳ７０７で実行される撮像パラメータのフィルタリングの処理をサーバ２００にて行う。これにより、デジタルカメラ１００の負荷を低減することができる。
【０１１３】
また、上述の実施形態では、被写体情報とその追記情報とを別々に取得していた。これについては、図５のステップＳ５０２で被写体情報を受信する際に、関連付けられている追記情報も全て受信してもよい。この場合、図７のステップＳ７０５やステップＳ７０６、ステップＳ７１２、およびステップＳ７１３の処理を行う必要が無くなる。これにより、追記情報の表示速度を速めることができる。
【０１１４】
また、上述の実施形態では、撮像パラメータの設定の際に選択肢として表示する撮像パラメータをフィルタリングする際のキーとして、デジタルカメラ１００の現在位置と被写体情報の追記情報に記録されている撮像位置との間の距離を用いる例について述べた。このフィルタリングのキーとして、現在位置と撮像位置との間の距離だけでなく、更に他の情報を用いても良い。例えば、同じ場所から同じ被写体を撮像する場合でも、昼に撮像する場合と夜に撮像する場合とでは、撮像パラメータが異なる可能性が高いと考えられる。また、晴れの日に撮像する場合と雨の日に撮像する場合とでも、撮像パラメータは異なる可能性が高いと考えられる。あるいは、夏に撮像する場合と冬に撮像する場合とでも、積雪の有無などから、撮像パラメータは異なる可能性が高いと考えられる。そこで、例えば、フィルタリングのキーとして、撮像パラメータが登録された際の時刻や天候、季節等の情報を用いても良い。これにより、ユーザの所望しない撮像パラメータがフィルタリングの結果に混入する可能性を低減することができる。
【０１１５】
また、上述の実施形態では、撮像パラメータの設定の際に選択肢として表示する撮像パラメータを登録順に表示する場合について述べた。これについては、例えば現在位置と撮像位置との間の距離が他の撮像パラメータと比べて短い撮像パラメータを優先して表示しても良い。例えば、現在位置と撮像位置との間の距離が他の撮像パラメータと比べて短い撮像パラメータを、他の撮像パラメータと区別可能なように表示したり、他のパラメータよりも早く選択可能な順番で表示したりする。
【０１１６】
また、上述の実施形態に加えて、既に記録されている撮像パラメータの値と同じ値の撮像パラメータが登録される場合は、既に登録されている撮像パラメータに、重複登録された回数を記録してもよい。この場合、撮像パラメータの設定の際に選択肢として表示する撮像パラメータのうち、重複登録された回数が多い撮像パラメータを優先して表示してもよい。
【０１１７】
また、上述の実施形態に加えて、撮像パラメータの追記情報に、その撮像パラメータを用いて取得された画像のサムネイルを含むようにしてもよい。この場合、撮像パラメータの設定の際に表示される一覧には、サムネイルも表示される。例えば、図１４のように表示する。これにより、撮像パラメータを用いて得られた画像の内容を確認しながら撮像パラメータを選択することができる。
【０１１８】
また、上述の実施形態に加えて、図７のステップＳ７０７におけるフィルタリングの結果、条件を満たす撮像パラメータが無かった場合は、フィルタリングの条件を緩和して再度フィルタリングしてもよい。例えば、撮影位置が現在位置から１０メートル以内という条件でフィルタリングした際に、この条件を満たす撮影パラメータが見つからないと判断された場合、撮影位置が現在位置から５０メートル以内という条件で再びフィルタリングする。この場合、フィルタリングの条件を緩和したことをユーザに通知する。
【０１１９】
また、上述の実施形態では、登録ボタンが選択された際に、現在の撮影パラメータを、登録要求と共にサーバ２００に送信する場合について述べた。これについては、撮影されたことに応じて、撮影の際に用いられた撮像装置の撮影パラメータを自動的に登録要求と共にサーバ２００へ送信するよう構成しても良い。このようにする場合、例えば登録ボタンの選択の有無に応じて、撮影パラメータを送信するか否かを切り替える。
【０１２０】
なお、上述の実施形態は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【図１】
2013222985.tif 000003
【図２】
2013222985.tif 000004
【図３】
2013222985.tif 000005
【図４】
2013222985.tif 000006
【図５】
2013222985.tif 000007
【図６】
2013222985.tif 000008
【図７】
2013222985.tif 000009
【図８】
2013222985.tif 000010
【図９】
2013222985.tif 000011
【図１０】
2013222985.tif 000012
【図１１】
2013222985.tif 000013
【図１２】
2013222985.tif 000014
【図１３】
2013222985.tif 000015
【図１４】
2013222985.tif 000016